(57)【特許請求の範囲】
【請求項１】
電球と電球用ソケットとの間に介装されるアダプタであって、
前記アダプタを前記電球用ソケットに取り付けるための口金部と、
前記アダプタに電球を取り付けるためのソケット部と、
前記口金部及びソケット部を電気的に接続し、かつ、外部から調光用の制御情報を受信するための受信手段と前記制御情報に基づいて前記電球の調光制御を行う調光制御手段を備えた電装基板が内蔵されたケース本体とを備えてなり、
前記ケース本体は、前記口金部を前記電球用ソケットに螺合する際の回転軸と同軸回転可能なように回転機構を介して前記口金部を保持する構造を有し、
前記ソケット部は、その基端部が前記回転軸の外側に位置するとともに、該ソケット部に電球を装着した際における当該電球の光源が前記回転軸の略延長線上に位置するように前記ケース本体に取り付けられている
ことを特徴とする調光用アダプタ装置。
【請求項２】
前記ソケット部及びケース本体は、該ソケット部に電球を装着した際における当該電球の光源が、前記電球用ソケットに所定の電球を装着した際における当該所定の電球の光源と略同じ位置になるように、前記ソケット部の受金径及びケース本体の形状・寸法が設定されていることを特徴とする請求項１に記載の調光用アダプタ装置。
【請求項３】
前記ケース本体は、前記ソケット部の基端面を取り付けるためのソケット取付部を備えるとともに、このソケット取付部に前記ソケット部を装着した際に、該ソケット部の胴体がケース本体と接触しないように所定形状に形成されていることを特徴とする請求項１または２に記載の調光用アダプタ装置。
【請求項４】
前記ケース本体は、前記ソケット部に電球を装着した際に該電球と対面する部位に反射板が取り付けられていることを特徴とする請求項１から３のいずれかに記載の調光用アダプタ装置。
【請求項５】
前記反射板とケース本体との間に断熱材が介装されていることを特徴とする請求項４に記載の調光用アダプタ装置。
【請求項６】
前記ケース本体は、前記電装基板を該ケース本体と一体的に回転可能に収容する構造を備えるとともに、前記電装基板は、該電装基板がケース本体内に収容された際に前記ソケット部の基端部に近い位置に発熱量の多い電装部品が位置するように前記電装基板上に電装部品が配置されていることを特徴とする請求項１から５のいずれかに記載の調光用アダプタ装置。
【請求項７】
前記電装基板は、該電装基板がケース本体内に収容された際に前記ソケット部の基端部に近い位置と遠い位置のそれぞれに温度検出手段が備えられ、これらの温度検出手段で検出される検出温度の温度差に基づいて電装基板の位置を検出する手段を備えたことを特徴とする請求項６に記載の調光用アダプタ装置。
【請求項８】
前記ケース本体は、その外側面に放熱用の開口部がケース本体内に貫通して形成されていることを特徴とする請求項１から７のいずれかに記載の調光用アダプタ装置。
【請求項９】
前記ケース本体は、前記ソケット部に電球を装着した際に該電球と対面するケース本体正面の外周縁が角落としされていることを特徴とする請求項１から８のいずれかに記載の調光用アダプタ装置。
【請求項１０】
請求項１から９のいずれかに記載の調光用アダプタ装置を壁面に取り付けられた電球用ソケットに装着してなる調光照明装置であって、
前記口金部を前記電球用ソケットに装着するにあたり、前記ソケット部の受金が略斜下向きになるように前記口金部が装着され、前記ソケット部には電球が装着されていることを特徴とする調光照明装置。
【発明の詳細な説明】
【技術分野】
【０００１】
この発明は調光用アダプタ装置および調光照明装置に関し、より詳細には、浴室壁面等に設けられた室内照明用の電球用ソケットに装着することによって一般照明を調光照明に変更するアダプタ装置と、そのアダプタ装置を用いた調光照明装置に関する。
【背景技術】
【０００２】
従来、浴室等においてリラックスした雰囲気を楽しむためのものとして、一般にヒーリングライトと称される照明装置が提案されている。この種のヒーリングライトは、１又は複数の発光体（たとえば、発光ダイオード）を備えた小型かつ可搬型の照明装置で構成され、上記発光体が発する光の色や明るさを変化させてリラックスした雰囲気を演出するものであるが、その雰囲気を楽しむためには、ヒーリングライトの照明が際立つように周囲の照明（白熱電球や蛍光灯による室内照明）を暗くするのが好ましい。
【０００３】
ところが、たとえば、浴室でこのヒーリングライトを使用する場合、浴室の室内照明の操作スイッチは、通常、浴室に隣接する脱衣室に設けられているため、ヒーリングライトを使用するにはその都度脱衣室まで操作しに行かねばならず面倒であった。また、通常、浴室の照明には光量の調節が可能な調光照明は用いられていないため、上記操作スイッチをオフにして照明を切ると、浴室内が暗くなり過ぎるという問題もあった。
【０００４】
そのため、浴室でヒーリングライトを十分に楽しむためには、浴室の照明にも光量の調節が可能で、しかも浴室から出ることなく（好ましくは、浴槽につかったままの状態で）光量の調節ができる照明器具を用いるのが好ましい。下記の特許文献１は、このような要請を満たす照明器具の一例を示している。
【０００５】
【特許文献１】特開平１０−３９６２号公報
【発明の開示】
【発明が解決しようとする課題】
【０００６】
しかしながら、上記特許文献１に示す照明器具では、以下のような問題があり、その改善が望まれていた。
【０００７】
すなわち、特許文献１に示す器具は、照明を設置する天井面や壁面に据え付けられる照明器具取付用コンセントに、ワイヤレスリモコンからの信号を受信する信号受信部と、同信号を処理して照明器具を制御する制御部とを一体に設けたものであるが、このように信号受信部と制御部とをコンセントに一体に設ける構成では、これを浴室にある既設の照明器具に適用するには、既設のコンセントを上記コンセントに取り替える工事が必要となり、不経済であった。
【０００８】
本発明はこのような従来の問題点に鑑みてなされたものであって、その目的とするところは、照明器具の取り替え工事を必要とせず、手軽かつ安価に遠隔操作可能な調光照明を提供し、ヒーリングライトによる演出効果を気軽に楽しめる環境を提供することを目的とする。
【課題を解決するための手段】
【０００９】
上記目的を達成するため、
（１）本発明の請求項１に記載の調光用アダプタ装置は、電球と電球用ソケットとの間に介装されるアダプタであって、上記アダプタを上記電球用ソケットに取り付けるための口金部と、上記アダプタに電球を取り付けるためのソケット部と、上記口金部及びソケット部を電気的に接続し、かつ、外部から調光用の制御情報を受信するための受信手段と上記制御情報に基づいて上記電球の調光制御を行う調光制御手段を備えた電装基板が内蔵されたケース本体とを備えてなり、上記ケース本体は、上記口金部を上記電球用ソケットに螺合する際の回転軸と同軸回転可能なように回転機構を介して上記口金部を保持する構造を有し、上記ソケット部は、その基端部が上記回転軸の外側に位置するとともに、該ソケット部に電球を装着した際における当該電球の光源が上記回転軸の略延長線上に位置するように上記ケース本体に取り付けられていることを特徴とする。
【００１０】
すなわち、請求項１に係る調光用アダプタ装置によれば、ケース本体に内蔵される電装基板に調光用の制御情報を受信するための受信手段と調光制御を行う調光制御手段が備えられていることから、たとえば、浴室などに設置された照明器具の電球用ソケットに上記口金部を装着するとともに上記ソケット部に電球を装着することで、既設の照明器具の取り替え工事を必要とすることなく、既設の照明器具を手軽かつ安価に調光照明装置に変更することができる。
【００１１】
そして、上記ソケット部は、基端部が上記回転軸の外側に位置するとともに該ソケット部に装着される電球の光源（具体的には、フィラメントの中央部分）が口金部を電球用ソケットに螺合する際の回転軸の略延長線上に位置するようにケース本体に取り付けられていることから、このようにソケット部を傾けた分だけ電球装着時における上記回転軸方向の長さが短縮される。そのため、電球と電球用ソケットの間に調光用アダプタを介装させたことによる上記回転軸方向のサイズの増大を抑制することができ、既存の照明器具のグローブ内に電球及び調光用アダプタ装置を納めることができる。
【００１２】
しかも、上記口金部はケース本体に回転機構を介して保持されているので、上記口金部を電球用ソケットにねじ込んだ後でケース本体を回転させてソケット部の受金（換言すれば、電球）を斜下向きに設定することができる。このように電球を斜下向きにすることで、電球点灯時に電球のフィラメントで発生した熱は、電球からソケット部の基端部に向かって伝導しつつ電球部の外周面及びソケット部の外周面から放熱するので、ソケット部の熱がケース本体に伝わるのを抑制することができ、その結果、ケース本体に内蔵された電装部品が熱によって不具合を起こすのを防止することができる。
【００１３】
（２）本発明の請求項２に記載の調光用アダプタ装置は、請求項１に記載の調光用アダプタ装置において、上記ソケット部及びケース本体は、該ソケット部に電球を装着した際における当該電球の光源が、上記電球用ソケットに所定の電球を装着した際における当該所定の電球の光源と略同じ位置になるように、上記ソケット部の受金径及びケース本体の形状・寸法が設定されていることを特徴とする。
【００１４】
すなわち、本発明の調光用アダプタ装置が取り付けられる電球用ソケットは、既設の照明器具に設けられた電球用ソケットであるところ、かかる既設の電球用ソケットに装着可能な電球は該ソケットの受金径に対応した口金を備えたものに限られる。その一方、電球の大きさ（具体的には光源となるフィラメントの位置）は、製品によって若干のバラツキはあるものの、口金のサイズによって予め予想できる。
【００１５】
請求項２に係る発明は、このように口金のサイズによって予想される電球を「所定の電球」とし、ソケット部に装着される電球の光源が、調光用アダプタを用いることなく電球用ソケットに上記所定の電球が直接装着された場合にその光源が位置するであろう位置（予想位置）と略同じになるように、ソケット部の受金径及びケース本体の形状・寸法が設定されている。そのため、この請求項２に係る発明によれば、調光用アダプタ装置を用いた場合でもこれを用いない場合と電球の光源の位置が殆ど変わらないので、既存の照明器具に調光用アダプタを適用することによって照明器具の光り方やグローブの表面温度の変化（たとえば、グローブの表面温度が過度に上昇するなど）を抑制することができる。
【００１６】
なお、このように光源の位置を変化させないようにするためには、ソケット部の受金径を電球用ソケットの受金径よりも小さく設定するのが効果的である。
【００１７】
（３）本発明の請求項３に記載の調光用アダプタ装置は、請求項１または２に記載の調光用アダプタ装置において、上記ケース本体は、上記ソケット部の基端面を取り付けるためのソケット取付部を備えるとともに、このソケット取付部に上記ソケット部を装着した際に、該ソケット部の胴体がケース本体と接触しないように所定形状に形成されていることを特徴とする。
【００１８】
請求項３に係る発明は、ソケット取付部に上記ソケット部を装着した際に、該ソケット部の胴体がケース本体と接触しないようにケース本体が形成されていることから、電球点灯時にソケット部からケース本体への熱伝導を少なくすることができる。そのため、この請求項３に係る発明によれば、ケース本体内の電装部品が熱により不具合を起こすのを抑制することができる。
【００１９】
（４）本発明の請求項４に記載の調光用アダプタ装置は、請求項１から３のいずれかに記載の調光用アダプタ装置において、上記ケース本体は、上記ソケット部に電球を装着した際に該電球と対面する部位に反射板が取り付けられていることを特徴とする。
【００２０】
請求項４に係る発明は、ソケット部に電球を装着した際に該電球と対面する部位に反射板が取り付けられていることから、この反射板によって電球からの光や放射熱が反射されるので、照明効率が高められる一方、放射熱によるケース本体の表面及び内部温度の上昇が軽減され、電装部品が熱により不具合を起こすのを抑制することができる。また、ケース本体が樹脂等で製造されている場合には、変色を防止することができる。
【００２１】
（５）本発明の請求項５に記載の調光用アダプタ装置は、請求項４に記載の調光用アダプタ装置において、上記反射板とケース本体との間に断熱材が介装されていることを特徴とする。
【００２２】
請求項５に係る発明は、上記反射板とケース本体との間に断熱材が介装されていることから、上記反射板からケース本体への熱伝導を抑制することができるので、ケース本体内の電装部品が熱により不具合を起こすの防止する効果を高めることができる。
【００２３】
（６）本発明の請求項６に記載の調光用アダプタ装置は、請求項１から５のいずれかに記載の調光用アダプタ装置において、上記ケース本体は、上記電装基板を該ケース本体と一体的に回転可能に収容する構造を備えるとともに、上記電装基板は、該電装基板がケース本体内に収容された際に上記ソケット部の基端部に近い位置に発熱量の多い電装部品が位置するように上記電装基板上に電装部品が配置されていることを特徴とする。
【００２４】
請求項６に係る発明は、上記電装基板が該ケース本体と一体的に回転するようにケース本体に収容されていることから、上記（１）で述べたように、ケース本体を回転させてもソケット部と電装基板の位置関係は変わらない。その一方、電装基板上には、上記ソケット部の基端部に近い位置に発熱量の多い部品が位置するように電装部品が配置されていることから、ケース本体を回転させて電球を斜下向きに設定した場合（換言すれば、ソケット部の基端部が上方に位置するようにケース本体を操作した場合）、これら発熱量の多い部品は電装基板の上方に位置することとなるので、電装基板の下方に熱が伝わりにくくなり、ケース本体内の温度上昇を抑制することができる。
【００２５】
（７）本発明の請求項７に記載の調光用アダプタ装置は、請求項６に記載の調光用アダプタ装置において、上記電装基板は、該電装基板がケース本体内に収容された際に上記ソケット部の基端部に近い位置と遠い位置のそれぞれに温度検出手段が備えられ、これらの温度検出手段で検出される検出温度の温度差に基づいて電装基板の位置を検出する手段を備えたことを特徴とする。
【００２６】
請求項７に係る発明は、請求項６に記載の調光用アダプタ装置において発熱量の多い電装部品が電装基板の一方に集中的に配置されることから、温度検出手段を用いて基板上の温度差を検出することで、基板の位置を検出する。これにより、発熱量の多い部品は電装基板の上方に位置されていないような場合にはそれを早期に発見でき、ケース本体内の温度上昇により電装部品が不具合を起こすのを未然に防ぐことができる。
【００２７】
（８）本発明の請求項８に記載の調光用アダプタ装置は、請求項１から７のいずれかに記載の調光用アダプタ装置において、上記ケース本体は、その外側面に放熱用の開口部がケース本体内に貫通して形成されていることを特徴とする。
【００２８】
請求項８に係る発明は、ケース本体の外側面にケース本体内に貫通して開口部が形成されているので、ケース本体内にこもった熱気が上記開口部からケース本体外部に排出されるので、ケース本体内の温度上昇を抑制することができる。なお、この開口部は、上述したようにケース本体を回転させて電球を斜下向きに設定した場合、ケース本体外側面の上下に位置するように形成されるのが好ましく、そのようにすることで、ケース本体内の熱気を効率よく排出することができるようになる。
【００２９】
（９）本発明の請求項９に記載の調光用アダプタ装置は、請求項１から８のいずれかに記載の調光用アダプタ装置において、上記ケース本体は、上記ソケット部に電球を装着した際に該電球と対面するケース本体正面の外周縁が角落としされていることを特徴とする。
【００３０】
この請求項９に係る発明は、ケース本体正面の外周縁が角落とし（いわゆるＣカット加工）されていることから、電球点灯時に、該電球から直接放射される光や熱を受けるケース本体正面の面積を減らすことができる他、ケース本体の影がグローブに映り込むのを軽減することができる。
【００３１】
（１０）本発明の請求項１０に記載の調光照明装置は、請求項１から９のいずれかに記載の調光用アダプタ装置を壁面に取り付けられた電球用ソケットに装着してなる調光照明装置であって、上記口金部を上記電球用ソケットに装着するにあたり、上記ソケット部が略斜下向きになるように上記口金部が装着され、上記ソケット部には電球が装着されていることを特徴とする。
【００３２】
すなわち、請求項１０に係る調光照明装置は、請求項１から９のいずれかに記載の調光用アダプタ装置を用いた調光照明装置であって、上記口金部を上記電球用ソケットに装着するにあたり、上記ソケット部の受金が略斜下向きになるように装着されているので、電球点灯時に電球のフィラメントで発生した熱は、電球からソケット部の基端部に向かって伝導しつつ電球部の外周面及びソケット部の外周面から放熱するので、ソケット部の熱がケース本体に伝わるのが抑制される。なお、調光用アダプタ装置の作用は上記（１）から（９）で説明したので省略する。
【発明の効果】
【００３３】
本発明によれば、既存の照明器具の取り替え工事を必要とすることなく、手軽かつ安価に既存の照明器具を遠隔操作可能な調光照明に取り替えることができ、ヒーリングライトによる演出効果を手軽に楽しめる環境を提供することができる。
【発明を実施するための最良の形態】
【００３４】
実施形態１
以下、本発明の実施形態を図面に基づいて詳細に説明する。
本発明に係る調光用アダプタ装置は、浴室等の室内照明に用いられる照明器具に備え付けられた白熱電球用のソケットに装着することによって、当該照明器具を調光照明に変更するための装置であって、電球と電球用のソケットとの間に介装されるアダプタの形態とされる。
【００３５】
図１は、本発明に係る調光用アダプタ装置を斜め前方から見た状態を示す斜視図であり、図２は、同調光用アダプタ装置を斜め後方から見た状態を示す斜視図である。また、図３(a)は、同調光用アダプタ装置の正面図を示し、図３(b)は、同調光用アダプタ装置の背面図を示している。図４(a)は、同調光用アダプタ装置の側面図を示し、図４(b)は、同調光用アダプタ装置の側面断面図を示している。さらに、図５及び図６は、同調光用アダプタ装置の分解斜視図を示しており、図７は、同調光用アダプタ装置の電気的な構成を示すブロック図である。なお、図８は本発明に係る調光用アダプタ装置が装着される照明器具、すなわち、調光機能を持たない通常の白熱電球を用いた照明器具の一例を示した説明図である。
【００３６】
以下の説明においては、この図８に示す照明器具に本発明に係る調光用アダプタ装置を装着する場合について説明する。なお、図８に示す照明器具の一般的な構成は周知であるので細部の説明は省略するが、同図において符号Ｗは照明器具が取り付けられた壁面を示しており、この壁面Ｗに白熱電球（具体的には、口金のサイズが「Ｅ２６」の白熱電球）Ｌを装着するための電球用ソケットＳを備えた台座Ｂが取り付けられるとともに、この台座Ｂに上記白熱電球Ｌを覆うグローブＧが着脱可能に装着されているものとする。
【００３７】
本発明に係る調光用アダプタ装置（以下、「アダプタ装置」と称する）１は、該アダプタ装置１を上記電球用ソケットＳに取り付けるための口金部２と、上記アダプタ装置１に所定の電球Ｌｘを取り付けるためのソケット部３と、これらが取り付けられたケース本体４とを主要部として構成され、該ケース本体４内には上記口金部２とソケット部３とを電気的に接続する電装基板５が内蔵されている。なお、この電装基板５には、外部から調光用の制御情報を受信するための受信手段と、受信された制御情報に基づいてソケット部３に装着された電球Ｌｘの調光制御を行う調光制御手段とが備えられているが、これらの詳細については後述する。
【００３８】
上記ケース本体４は、回転機構を介して上記口金部２を回転可能に保持するとともに、上記ソケット部３に所定の電球Ｌｘを装着した際に当該電球Ｌｘの光源（フィラメントの部分）が予め定められた所定の位置に配置されるように、上記ソケット部３を取り付けるソケット取付部４１を備えている。
【００３９】
そこで、まずケース本体４の概略構成を説明した後、口金部２およびソケット部３の取付構造について説明する。
【００４０】
ケース本体４は、図１乃至図６に示すように、略円筒状の所定形状に形成された樹脂成型品で構成される。具体的には、このケース本体４は、その基端側が開口され、該開口部の外側に上記ソケット部３の基端部３ａを装着するためのソケット取付部４１が内向きに所定の角度（傾き）をもって張り出し形成されるとともに（図４(b)参照）、このソケット取付部４１に上記ソケット部３を装着した際に、該ソケット部３の胴体がケース本体４と接触しないように、上記ソケット部３の外周に沿って凹状溝４２が形成されている（図５参照）。
【００４１】
すなわち、上記ソケット取付部４１は、該取付部４１にソケット部３を取り付けた際に、該ソケット部３の基端部３ａが口金部２の回転軸（口金部２を上記電球用ソケットＳに螺合する際の回転中心であり、本実施形態では導体ピン２４）の外側に位置するとともに、該ソケット部３に装着される電球Ｌｘの光源（フィラメントの位置）が上記回転軸の略延長線上に位置するようにケース本体４に設けられている。
【００４２】
これは、本発明のアダプタ装置１は、既設の照明器具の電球用ソケットＳに装着されることから、ソケット部３を上記口金部２の回転軸と同軸上に配置すると、該アダプタ装置１の厚み分だけ電球が突出することになるので、ソケット部３を傾けることによって、アダプタ装置１の厚みによる電球の突出を回避するためである。
【００４３】
そして、本実施形態では、上記ソケット部３及びケース本体４は、該ソケット部３に上記電球Ｌｘを装着した際における当該電球Ｌｘの光源（フィラメントの位置）が、アダプタ装置１を適用する以前に上記電球用ソケットＳに装着されていた既設の電球（本実施形態では、電球用ソケットＳに対応する口金サイズ（Ｅ２６）の白熱電球）Ｌの光源（フィラメントの位置）と略同じ位置になるように（図１０参照）、上記ソケット部３の受金径及びケース本体４の形状・寸法が設定されている。
【００４４】
なお、本実施形態では、アダプタ装置１に装着する電球Ｌｘとして、一般の白熱電球（口金サイズがＥ２６のもの）よりも小型の電球（たとえば、口金サイズがＥ１７のミニクリプトン電球）を用いるので、上記ソケット部３の受金径やケース本体４の形状・寸法は、この電球Ｌｘのサイズに合わせて設定される。
【００４５】
一方、このケース本体４の内側には、上記電装基板５を所定の位置に嵌合保持する構造が備えられている。具体的には、本実施形態では、上記電装基板５は、図６に示すように略Ｄ字状の基板で構成されているので、ケース本体４の内側はこのＤカットされた電装基板５に対応する形状とされている。つまり、ケース本体４は、上記電装基板５を嵌合保持することによって、上記電装基板５を一体的に回転可能に収容する構造を備え、上記回転機構によってケース本体４と口金部２との位置が相対的に移動（回転）しても電装基板５とケース本体４との位置関係は変化しないように構成されている。
【００４６】
ここで、本実施形態では、ケース本体４が電装基板５を嵌合保持するにあたり、上記電装基板５のＤカットされた部分（基板外周のカットされた直線部分）が上記ソケット取付部４１側に位置するように構成される。
【００４７】
そして、ケース本体４の内側において、上記電装基板５のＤカット部分によって空いた空間には、図９に示すように、後述する回転体２１の表面と当接されてこれを支える回転部支え４７と、該回転体２１の表面に突出形成された回転規制突起（図示せず）と係合して上記回転体２１の回転を規制する回転ストッパ４８とが突出形成される。
【００４８】
なお、図９において符号３３，３３で示すのは、上記ソケット部３に設けられた端子金具である。この端子金具３３，３３は、上記ソケット部３をソケット取付部４１に装着する際に、ケース本体４に形成された端子挿通穴（図示せず）を通すことによって、その先端が図９に示す位置に配置され、ケース本体４内の所定位置に電装基板５が保持されると、電装基板５の所定部位（ソケット部３と電気的に接続される部位）と上記端子金具３３，３３とが半田付けまたは接触導通される。
【００４９】
また、このケース本体４の内側の中央部（口金部２を上記電球用ソケットＳに螺合する際の回転軸（回転中心）と同心位置）には、金属製のナット４３が埋設されている（図４(b)参照）。このナット４３は、後述するように、電球用ソケットＳの一方の電極と電気的に接続される導体ピン２４の先端に形成されたネジ山と係合可能なネジ溝を有しており、該導体ピン２４がこのナット４３に螺合されることによって、上記導体ピン２４がこのナット４３を介して上記所定位置に嵌合保持された電装基板５の所定部位（口金部２と電気的に接続される部位）と接触導通するように構成されている。
【００５０】
更に、このケース本体４の基端側開口端内周面には、上記口金部２を回転可能に保持するための回転機構の一部を構成する凹凸歯部４４が全周にわたって形成されている。この凹凸歯部４４は、後述する回転体２１の係合爪２１ｃと係合し、ケース本体４と口金部２とが自由回転するのを防止するとともに、ケース本体４（または口金部２）の回転操作時に操作者に適度なクリック感を与えるためのものであって、本実施形態では、ケース本体４の開口端内周面に約４０個の凹凸を設けることによって構成されている。なお、この凹凸の位置や個数は上記目的を達成するものであれば適宜変更可能である。すなわち、本実施形態では、開口端内周面の全周に凹凸歯部４４を形成したが内周面の一部にのみ設けられていてもよく、また、その個数も適宜の増減変更可能である。
【００５１】
また、上記ケース本体４の外側面には、図４に示すように、ケース本体４内に貫通する貫通穴（開口部）４５が形成されている。この貫通穴４５は、ケース本体４内にこもった熱（すなわち、上記電装基板５に実装された電装部品から発せられる熱だけでなく上記ソケット部３やケース本体４の表面等から受ける電球の熱を含む）をケース本体４の外に排出するために設けられた熱抜き用の穴であって、ケース本体外周の適所に適当数設けられる。
【００５２】
本実施形態では、後述するように、電装基板５には、上記ソケット部３の基端部３ａに近い位置に発熱量の多い電装部品が配置され、かつ、使用にあたっては該ソケット部３の基端部３ａ側が上方に位置するようにケース本体４の位置が調節されるため、この貫通穴４５をケース本体４の上記ソケット部３の基端部３ａに近い位置とその対向位置（図４(b)において上下の位置）とに形成しておくと、この貫通穴４５を通じてケース本体４内の空気が対流するので、ケース本体４内の熱を効率的に排出することができる。
【００５３】
また、ケース本体４の正面側外周縁４６は、図４に示すように、テーパ状に角落とし加工（いわゆるＣカット）がなされている。これは、上記ソケット部３に電球Ｌｘを装着した際に該電球Ｌｘと対面するケース本体正面の外周縁を角落とししておくことで、電球Ｌｘが点灯した時に、該電球Ｌｘから放射される光や熱を受けるケース本体４の面積を少なくするためである（図１０参照）。
【００５４】
次に、上記口金部２について説明する。この口金部２は、上記電球用ソケットＳと係合可能な形状の口金を備えて構成される。すなわち、本実施形態では、上記電球用ソケットＳとして、口金のサイズが「Ｅ２６」の白熱電球Ｌに対応するソケットが採用されているので、この口金部２は「Ｅ２６」の電球と同じサイズの口金を備えて構成される。
【００５５】
そして、本発明に係るアダプタ装置１では、この口金部２は、回転機構を介して上記ケース本体４に回転可能に保持されている。具体的には、この口金部２は、図６に示すように、回転体２１と、口金本体２２と、絶縁軸体２３と、導体ピン２４とを主要部として構成され、該導体ピン２４を回転軸として上記ケース本体４に回転可能に取り付けられる。
【００５６】
上記回転体２１は、口金部２をケース本体４に回転可能に保持させるための部材であって、略円盤状の回転体本体部２１ａの裏面中央に中空円筒状のボス部２１ｂが突出形成された樹脂の一体成形品で構成されている。ボス部２１ｂは、上記口金本体２２を嵌合させるための突起であって、その頭頂面には上記絶縁軸体２３の軸部２３ａを装着するための開口部が形成されている（図４(b)参照）。
【００５７】
上記回転体本体部２１ａの外周縁の所定位置には、上記ケース本体４の開口部内周縁に形成された凹凸歯部４４の凹部と弾発係合する係合爪２１ｃが形成されている。この係合爪２１ｃは、上記ケース本体４の凹凸歯部４４とともに回転機構の一部を構成するもので、ケース本体４に保持された回転体２１が自由回転するのを防止するとともに、回転操作をする際に操作者に適度なクリック感を与えるために設けられている。ただし、この係合爪２１ｃと上記凹凸歯部４４との係合の強さ（クリック感）は、後述する電球Ｌｘの位置調節の際に、ケース本体４を反時計方向に回転させても電球用ソケットＳへの口金部２の装着が緩まないように、あまり強くなり過ぎないように設定される。そのため、本実施形態では、上記係合爪２１ｃは、プラスチック樹脂によって上記回転体本体部２１と一体に成形された厚さ２，３ミリ程度のものが用いられる。
【００５８】
なお、この係合爪２１ｃは、上記回転体本体部２１ａの外周縁の少なくとも一箇所に設けられていればよいが、図３(b)に示すように、回転体本体部２１ａの回転中心（導体ピン２４）を挟んで対称位置に一対設けるなど、複数設けることも可能である。
【００５９】
また、この回転体本体部２１ａの表面の所定位置（具体的には、上記本体ケース４側に設けられた上記回転ストッパ４８と同心位置）には、口金部２の回転を規制する回転規制突起（図示せず）が突出形成されており、上記回転体２１の回転時にこの回転規制突起が上記回転ストッパ４８と衝突することによって口金部２（または本体ケース４）の回転が、図３(b)に矢符で示した範囲（図中の符号Ｘ−Ｙ間の範囲）に制限される。つまり、本実施形態では、この口金部２は、上記ケース本体４に保持された状態で左右に略３６０°（具体的には３６０°弱）の回転が可能とされている。
【００６０】
このように、回転ストッパ４８によって口金部２の回転範囲に制限を設けたのは、後述するように、アダプタ装置１を電球用ソケットＳに装着する際にケース本体４に加えられる力（回転方向の力）が口金部２に伝えられるようにしたためであり、また、その回転範囲が略３６０°に設定されているのは、後述するように、回転体２１のボス部２１ｂ内に上記口金本体２２と電装基板５とを接続する電装線６が配されていることから、口金部２（またはケース本体４）の回転によってこの電装線６に過度のストレス（電装線の半田付けを引き剥がす力）がかからないようにするためである。したがって、この回転可能範囲は上記電装線６の長さ等に応じて適宜設計変更可能である。
【００６１】
上記口金本体２２は、上記電球用ソケットＳの一方の電極と電気的に接続される部材であって、中空円筒状の金属導体で構成される。そして、その胴体部２２ａの外周面には上記電球用ソケットＳの受金に螺合するネジ山が形成されるとともに、その基端部は内周側に向かって張出部２２ｂが形成され、この張出部２２ｂに上記電装線６の一端を半田付けするための半田装着代（図示せず）が設けられている。
【００６２】
なお、この口金本体２２は、図６に示すように、その先端の開口部を上記回転体２１のボス部２１ｂに嵌合させるとともに、基端部に略Ｕ字状の補強金具２５を当接した状態で、上記補強金具２５及び口金本体２２の張出部２２ｂを回転体２１のボス部２１ｂにビス２６，２６止めされる。
【００６３】
上記絶縁軸体２３は、全体が絶縁体で構成され、口金部２を貫通する導体ピン２４と上記口金本体２２とを電気的に絶縁するための部材であって、上記導体ピン２４のピン軸部２４ｂが挿通される筒状の軸部２３ａと、この軸部２３ａの基端側に上記口金本体２２の基端部（補強金具２５及びビス２６）を被覆するように周方向に張り出し形成された鍔部２３ｂとで構成されている。
【００６４】
この絶縁軸体２３の軸部２３ａは、上述したように、上記回転体２１のボス部２１ｂの頭頂面に設けられた開口部に挿入可能な外径を有し、その軸方向の長さは、図４(b)に示すように、口金部２を組み付けた際に電装基板５の裏面に届く程度の長さに設定されている。ここで、軸部２３ａの軸方向長さが電装基板５の裏面に届くように設定されているのは、上記絶縁軸体２３は導体ピン２４の全周を覆う構造を有しているので、その長さを電装基板５の裏面に届くように設定することによって、電装基板５の裏面に半田付けされた電装線６が何らかの理由で外れた場合でも、電装線６の先端が導体ピン２４に接触しないようにするためである。
【００６５】
上記導体ピン２４は、上記電球用ソケットＳの他方の電極と電気的に接続される部材であって、ピン頭部２４ａが白熱電球Ｌの口金先端に形成された半田部分に相当するように、上記絶縁軸体２３の鍔部２３ｂの表面から突出する形状を有する一方、ピン軸部２４ｂは、後述するケース本体４に取り付けられたナット４３と螺合可能なように、所定の長さを有するとともにその先端にネジ山が形成されている。
【００６６】
しかして、このような部材から構成される口金部２は、図６に示すように、まず、ケース本体４の内部に上記電装基板５を嵌合し、その後、上記口金本体２２及び補強金具２５が装着された回転体２１に、上記絶縁軸体２３の軸部２３ａを挿通するとともに、この軸部２３ａに導体ピン２４のピン軸部２４ｂを挿通し、その状態で、上記ピン軸部２４ｂの先端を上記ナット４３に螺合することによってケース本体４に組み付けられる。つまり、口金部２は、導体ピン２４とナット４３（ケース本体４）とによって、電装基板５と回転体２１と絶縁軸体２３とを挟み込むようにして組付けられている。このように本実施形態では、本実施形態では、口金部２の口金本体２２（コールド側）がケース本体４及び導体ピン２４（ホット側）とは独立して回転可能に構成されている。
【００６７】
その際、上記口金本体２２の半田装着代と電装基板５の所定部位とに電装線６が半田付けされ、これによって両者が電気的に接続される。なお、この電装線６は、口金部２が上述した範囲で回転した場合でもその長さが不足しないように適当な長さを有し、絶縁軸体２３の軸部２３ａに巻き付けるようにボス部２１ｂ内に収納されている。すなわち、上記口金部２をその回転が規制される位置まで最大に回転させたときでも、図４(b)に示すように、絶縁軸体２３の軸部２３ａの外周を回り込んで、上記半田付け部分が引き剥がされないような長さをもってボス部２１ｂ内に収容されている。
【００６８】
一方、ソケット部３は、上述したように、１７Ｅの口金のミニクリプトン電球（電球Ｌｘ）を装着するためのソケットであって、樹脂製の略円筒形状のソケットケース３１の内部に、電球を螺合するためのネジ溝を備えた受金３２が備えられている。なお、この受金３２には、上述した端子金具３３，３３が接続されており、この端子金具３３，３３がソケットケース３１の基端部から外部に突出状に設けられている（図５参照）。
【００６９】
そして、このソケット部３は、その基端面を上記ケース本体４のソケット取付部４１に当接し（その際、上記端子金具３３，３３はケース本体４の端子挿通穴（図示せず）に挿通し）、その状態で、ソケット取付部４１の裏面側から取付ビス３４によってソケット取付部４１に装着固定される。
【００７０】
そして、本実施形態では、このようにして口金部２及びソケット部３が取り付けられたケース本体４の正面には、さらに、図５に示すように、反射板７及び断熱材８が装着されている。
【００７１】
具体的には、上記反射板７は、上記ソケット部３に電球Ｌｘを装着した際に該電球Ｌｘと対面する部位に該電球Ｌｘから発する光や熱を反射するように配置されるものであって、本実施形態では、アルミやステンレス製の金属板を、上記ケース本体４の正面の形状に合わせて所定形状に曲折加工してなるものが用いられる。
【００７２】
また、上記断熱材８は、上記電球Ｌｘから放射される熱等によって加熱昇温した反射板７の熱がケース本体４に伝わらないように、ケース本体４と反射板７との間に介装される断熱材層であって、上記反射板７と同様、断熱材を上記ケース本体４の正面の形状に合わせて所定形状に加工したものが用いられる。
【００７３】
そして、これらのケース本体４への取り付けは、ケース本体４の正面に断熱材８と反射板７とを重ね合わせ、その状態で正面側からビス９によりビス止め固定される。なお、その際、反射板７とソケット部３の胴体とが接しないようにされているのは、ケース本体４の場合と同様である。つまり、ケース本体４の成形にあたっては、断熱材８や反射板７の厚みを考慮して、これらがソケット部３の胴体と接触しないように設計される。
【００７４】
しかして、このように構成されたアダプタ装置１は、その使用にあたり、図１０に示すように、電球Ｌｘが略斜下向きになるように口金部２を上記電球用ソケットＳに装着して使用する。
【００７５】
すなわち、使用にあたり、まず、照明器具のグローブＧを取り外し、その状態で、ソケット部３に電球Ｌｘが装着されたアダプタ装置１の口金部２を電球用ソケットＳに装着する。この口金部２の装着にあたっては、ケース本体４を手に持って口金部２を上記電球用ソケットＳの受金に時計方向にねじ込んで装着する。その際、口金部２はケース本体４に回転可能に保持されているが、口金部２は係合爪２１ｃによってケース本体４の凹凸歯部４４に弾発係合しているので、ケース本体４を持ってねじ込んだときには、口金部２はケース本体４と一体的に回転し、電球用ソケットＳの受金に装着される。
【００７６】
そして、上記口金部２が電球用ソケットＳの奥までねじ込まれると（換言すれば、導体ピン２４のピン頭部２４ａが電球用ソケットＳの奥にある端子と接触するまでねじ込まれると）、そこで口金部２の回転は止まるが、口金部２はケース本体４に回転可能に保持されているので、この時点ではケース本体４は回転操作可能である。
【００７７】
口金部２の回転が停止した状態でケース本体４を更に回転させると、係合爪２１ｃが撥ね上げられて係合爪２１ｃは隣接する凹部に弾発係合し、その際に「カチ」「カチ」といったクリック感が音とともに操作者に伝わる。そして、ケース本体４に設けられた回転ストッパ４８と口金部２の回転規制突起が衝突するまでこの回転操作は可能であり、両者が衝突すると、その時点でケース本体４はそれ以上回転しなくなる。なお、このように、ケース本体４が回転しなくなるまでケース本体４の回転操作をすることによって、上記導体ピン２４のピン頭部２４ａと電球用ソケットＳの奥にある端子との電気的な接続を確実なものとすることができる。
【００７８】
なお、この状態で、更にケース本体４を回転操作すると、上記口金本体２２は電球用ソケットＳの受金に入り込もうとする一方、口金部２はそれ以上ねじ込めないので、その結果、口金部２の口金本体２２には、該口金本体２２を上記回転体２１から引き剥がそうとする力が作用することとなる。しかしながら、本実施形態では、上述したように、口金本体２２の基端部は、その略全面が補強金具２５を介して回転体２１のボス部２１ｂにビス止め固定されているため、このような力が作用しても口金本体２２が回転体２１から浮き上がることなく、口金部２に不具合が生じるのが防止されている。
【００７９】
このようにして、上記口金部２を電球用ソケットＳに装着した際に、電球Ｌｘが図１０に示すように斜め下向きとなっていればアダプタ装置１の取り付けはそれで完了するが、そうでない場合には、ケース本体４を反対（反時計方向）に回転操作し、電球Ｌｘの向きが斜め下向きとなるようにその位置を調節する。その際、口金部２が電球用ソケットＳにしっかりと装着されていれば、口金部２は回転せずにケース本体４のみが回転するため、口金部２の装着が緩むことなく電球Ｌｘの向きを調節することができる。
【００８０】
そして、電球Ｌｘの位置調節が完了すると、最後に、照明器具にグローブＧを装着し、アダプタ装置１の取り付けを完了する。
【００８１】
このように、電球Ｌｘの向きが斜め下向きとなるようにアダプタ装置１を調節して使用するのは、電球点灯時に電球Ｌｘのフィラメントで発生した熱を上記ソケット部３に沿って上方に伝搬させることによって、電球のガラス球部分に集中する熱を分散させ、これによりグローブＧの特定部分（電球のガラス球上方部分）に熱が集中するのを防止するとともに、上記ソケット部３に伝搬した熱がケース本体４内の電装基板５に伝わるのを抑制するためである。
【００８２】
次に、アダプタ装置１の電気的構成について、図７に基づいて説明する。図７に示すように、アダプタ装置１は、口金部２とソケット部３とが電装基板５を介して電気的に接続されている。
【００８３】
この電装基板５は、外部から調光用の制御情報を受信して、当該制御情報に基づいてソケット部３に装着された電球Ｌｘの調光制御を行うための電装部品を実装してなるもので、図示のように、信号受信部５１と、電力制御部５２と、温度検出部５３と、制御部５４と、電源部５５とを主要部として備えている。
【００８４】
上記信号受信部（受信手段）５１は、リモコン１０から送信される制御情報を受信する受信装置であって、本実施形態では、この信号受信部５１は赤外線受光装置で構成される。すなわち、本実施形態では、制御情報を送信するリモコン１０は、図７に示すように、操作部１１での操作に応じてリモコン制御部１２が制御情報を生成し、この制御情報が信号送信部１３で赤外線信号に変換されて発光送信される構成を採用していることから、上記信号受信部５１は当該赤外線信号を受信可能な赤外線受光装置の形態とされる。したがって、この信号受信部５１は、リモコン１０の信号送信形態に応じて適宜変更可能である。
【００８５】
なお、この信号受信部５１は、赤外線の受光部が上記電装基板５の表面に実装され、上述したケース本体４の外周に設けられた貫通孔４５を通じて外部からの制御情報（赤外線信号）を受信するように構成されている。具体的には、上記ケース本体４が適正な位置に調節された際に、信号の受信状態が最もよくなる位置に配置されている。
【００８６】
上記電力制御部５２は、上記制御部５４から与えられる調光制御信号に基づいて、ソケット部３に装着された電球Ｌｘの明るさを調節する（調光制御を行う）回路であって、具体的には、上記調光制御信号に基づいて口金部２から供給されソケット部３に与えられる電力の位相制御を行う位相制御回路で構成されている。なお、この位相制御回路の構成は周知であるので、細部の説明は省略する。
【００８７】
温度検出部５３は、上記電装基板５がケース本体４内の所定位置に嵌合保持され、かつ電球Ｌｘが斜め下向きとなるようにケース本体４が位置調節された際に、該電装基板５の上下（換言すれば、上記ソケット部３の基端部３ａに近い位置と、遠い位置）に配された一対のサーミスタ（温度検出手段）Ｔｈ１，Ｔｈ２で構成される。
【００８８】
具体的には、上述したように、本実施形態では、上記電装基板５としてＤカットされた基板が用いられ、かつこのカットされた部分（基板外周の直線部分）が上記ソケット部３の基端部３ａに近い位置に配されるので、上記サーミスタＴｈ１，Ｔｈ２は、図１１に示すように、電装基板５上の上下２箇所に配設される。
【００８９】
なお、これに関連して、本実施形態では、上記電力制御部５２や電源部５５などを構成する電装部品のうち、トライアックや抵抗器など発熱量の多い電装部品は、電装基板５の上方、つまり、該電装基板５がケース本体４内に収容保持された際に上記ソケット部３の基端部３ａに近い位置に配設されるように、電装基板５上に実装されている。また、これに伴って、制御部５４のマイクロコンピュータなど熱に弱い電装部品や赤外線の受光部などは電装基板５の下方に配置されている。
【００９０】
これは、発熱量の多い電装部品を上方に配置しておくことで、これらの電装部品から発生した熱によって熱に弱い部品が不具合を起こすのを防止するためである。したがって、本実施形態では、上記ケース本体４が正しく位置調節されている場合（電球Ｌｘが斜め下向きとなるように位置調節されている場合）、電装基板５の上部の温度が高く、下部の温度が低くなる。
【００９１】
上記温度検出部５３は、このような電装基板５における温度差を検出するためのものであり、この温度検出部５３で検出された温度情報は、上記制御部５４に入力される。
【００９２】
制御部５４は、アダプタ装置１の制御中枢を構成するもので、所定の制御プログラムを記憶してなるマイクロコンピュータを備えて構成される。具体的には、この制御部５４は、上記信号受信部５１から与えられる制御情報に基づいて上記電力制御部５２を制御する処理（調光制御処理）と、上記温度検出部５３からの温度情報に基づいて電装基板５（換言すれば、電球Ｌｘ）が正しい位置にあるか否かを判断する処理（位置検出処理）とを実行する。なお、この制御部５４と上記電力制御部５２とが電球Ｌｘの調光制御を行う調光制御手段を構成する。
【００９３】
そこで、まず制御部５４における調光制御処理について説明する。この調光制御処理を実行するために、上記制御部５４には、信号受信部５１で受信された制御情報を解析するプログラム（信号解析プログラム）と、制御情報の解析結果に応じた調光制御信号を生成するプログラム（調光制御信号生成プログラム）とが記憶されている。
【００９４】
そして、たとえば、上記信号受信部５１で受信した制御情報が「照明を暗くする指令」である場合には、上記制御部５４は、この指令に対応する調光制御信号、つまり、電力制御部５２に対してソケット部３に供給される電力を少なくさせることを命ずる指令を与え、電球Ｌｘの明かりが暗くなるようにする。また、反対に、受信した制御情報が「照明を明るくする指令」である場合には、上記制御部５４は、この指令に対応して、電力制御部５２にソケット部３に供給する電力を多くすることを命ずる指令を与え、電球Ｌｘの明かりが明るくなるようにする。
【００９５】
なお、この調光制御処理の具体的な内容は、上記リモコン１０のリモコン制御部１２の設定や、上記制御部５４における信号解析プログラムや調光制御信号生成プログラムの内容を変更することによって適宜設計変更可能である。たとえば、上述した例では、リモコン制御部１２で生成される制御情報の中に照明を暗くするか明るくするかの情報を盛り込んだ場合を示したが、たとえば、制御部５４は、リモコン制御部１２から制御情報を受信すると、これに応じて予め定めた所定量だけ電力を少なくして照明を暗くするように構成し、制御情報の受信が所定回数に達すると照明を元の状態に戻すように設定することなども可能である。要は、外部から信号受信部５１に与えられる調光用の制御情報に基づいて、制御部５４及び電力制御部５２が電球Ｌｘの調光制御を行うように構成されていればよい。
【００９６】
次に、制御部５４における位置検出処理について説明する。本発明に係るアダプタ装置１は、上述したように、口金部２を電球用ソケットＳに装着する際に、電球Ｌｘが斜め下向きになるようにケース本体４の位置調整を行うものとされており、ケース本体４の位置がかかる適正な位置にないと、上述した放熱、排熱の効果が十分に機能し得ず、また、上述した赤外線信号の受信状態が悪くなる。そのため、本発明のアダプタ装置１では、ケース本体４（換言すれば、電装基板５）が適正な位置にあるか否かを上記温度検出部５３からの温度情報に基づいて制御部５４が判断するように構成されている。
【００９７】
具体的には、制御部５４は、上記サーミスタＴｈ１，Ｔｈ２で得られたデータ（温度情報）を読み込んで、両者の温度差に基づいてケース本体４が適正な位置にあるか否かを判断する。ここで、電装基板５の上方に取り付けられたサーミスタＴｈ１での検出値（検出温度）をＴ１とし、電装基板５の下方に取り付けられたサーミスタＴｈ２の検出値（検出温度）をＴ２とする。
【００９８】
上記ケース本体４が適正な位置で電球Ｌｘが点灯されると、本実施形態では発熱量の多い電装部品が電装基板５の上方に配置されているので、サーミスタＴｈ１，Ｔｈ２の検出値は、図１２(a)に示すように、時間の経過に伴って上昇し、かつ両者の温度差（Ｔ１−Ｔ２）が大きくなる。
【００９９】
これに対し、たとえば、ケース本体４が適正位置から９０°近くずれているような場合には、図１２(b)に示すように、時間の経過に伴ってサーミスタＴｈ１，Ｔｈ２の検出値Ｔ１，Ｔ２は上昇するが、両者の温度差（Ｔ１−Ｔ２）はケース本体４が適正位置にある場合より小さくなる。また、ケース本体４の位置が１８０°近くずれると、さらに温度差が０に近づき、場合によっては温度差がマイナスになる可能性がある。
【０１００】
本実施形態では、このようなケース本体４の位置によるサーミスタＴｈ１，Ｔｈ２の検出値Ｔ１，Ｔ２の温度差の現れかたに着目してケース本体４の位置が適正か否かを制御部５４が判断するようにしたもので、制御部５４は、電球Ｌｘが点灯すると、上記はサーミスタＴｈ１，Ｔｈ２の検出値Ｔ１，Ｔ２の読み込みを開始し、両者の温度Ｔ１，Ｔ２が所定の温度Ｔａになると、「Ｔ１＞Ｔ２で、かつ温度差（Ｔ１−Ｔ２）が所定値Ｔｂ以上であるか」を判断し、その結果が肯定的であれば「ケース本体４は適正位置にある」と判定し、また、結果が否定的であれば「ケース本体４は適正位置にない」と判定するように構成されている。
【０１０１】
なお、この判断の結果、「ケース本体４は適正位置にない」と判定した場合、上記制御部５４は、その旨をユーザに伝えるための所定の警告処理を実行するように構成される。この警告処理としては、たとえば、電球Ｌｘを所定周期（たとえば、５００ｍｓ）で点滅させたり、あるいは所定のレベル（明るさ）まで強制的に減光させたりするなど、上記電力制御部５２の制御を通じて行われる。
【０１０２】
このように、本実施形態のアダプタ装置１では、ケース本体４が適正な位置にない場合には、制御部５４がこれを検知して警告処理を実行するので、ケース本体４の施工不良（位置調節の不備）を早期に発見でき、アダプタ装置１内の電装部品の異常昇温を未然に防ぐことができる。
【０１０３】
なお、上記電源部５５は、上記口金部２に供給される交流電力から直流電圧を生成し、電装基板５の各部に直流電力を供給するための電源回路で構成されている。
【０１０４】
実施形態２
次に、本発明の第２の実施形態について説明する。この第２の実施形態は、電球Ｌｘの装着方向を改変したものであって、具体的には、上記実施形態１におけるソケット取付部４１の位置及びその向きを改変したものである。
【０１０５】
なお、この改変に伴って、ケース本体４の具体的な形状は上記実施形態１に示すものとは異なるものの、口金部２をケース本体４が回転可能に保持する構造や、アダプタ装置１内の電気的構成など、その他の基本的な構成は実施形態１と共通するので、構成が共通する部分には同一の符号を付して説明を省略する。
【０１０６】
本実施形態におけるソケット取付部４１は、ソケット部３の取付方向（換言すれば、電球Ｌｘの装着方向）が壁面Ｗと直交するようにケース本体４に設けられている。具体的には、ソケット取付部４１は、ソケット部３の取付方向が上記口金部２の回転軸の軸方向と一致するように、ケース本体４の表面の略中央に設けられている。そして、該ソケット取付部４１においてソケット部３の基端面と当接する面が、ケース本体４の表面と平行に形成され、ソケット部３に電球Ｌｘを装着した際に、該電球Ｌｘが壁面Ｗと直交するように構成されている。
【０１０７】
そして、本実施形態では、このようなソケット取付部４１の位置や向きの改変に伴い、上述した凹状溝４２はソケット取付部４１の外周に形成され、該ソケット取付部４１にソケット部３を装着した際に、該ソケット部３の胴体（外周面）がケース本体４と接触しないように構成されている。なお、ケース本体４に貫通穴（開口部）４５が設けられる点やケース本体４の正面側外周縁４６がテーパ状に角落とし加工（いわゆるＣカット）される点は上述した実施形態と同様である。
【０１０８】
また、本実施形態では、ソケット部３はケース本体４の表面中央に起立状に装着されるので、これに応じて、上記反射板７及び断熱材８の形状も変更される。すなわち、上記反射板７及び断熱材８は、その中央にソケット部３を挿通するための貫通孔を有して構成される。
【０１０９】
なお、上述した実施形態１では、アダプタ装置１の使用時には電球Ｌｘが斜め下向きになるようにケース本体４の位置調節が行われること（アダプタ装置１が適正位置にあること）を前提に、電装基板５上の電装部品や温度検出手段の位置が設定（つまり、アダプタ装置１の使用時に電装基板５の上方に発熱量の多い電装部品が配置されるとともに、上下二カ所に温度検出手段が配置されるように設定）されていたが、本実施形態では、電球Ｌｘはケース本体４の中央に壁面Ｗに直交するように取り付けられるため、アダプタ装置１の外観（たとえば、電球Ｌｘやソケット部３の向き）を目視しただけでは、該アダプタ装置１の適正位置を判断することは困難である。
【０１１０】
そのため、本実施形態に示すアダプタ装置１では、外観を目視することによりケース本体４の適正位置が判明するように、アダプタ装置１の表面（たとえは、ケース本体４の外周面）に適正位置を表示する表示手段が設けられる。すなわち、本実施形態においても、電装基板５上の電装部品及び温度検出手段は、アダプタ装置１を適正位置に装着した際に、発熱量の多い電装部品が該基板５の上方に位置し、かつ温度検出手段が基板５の上下二カ所に位置するように配設されるとともに、アダプタ装置１が適正位置になければ、制御部５４がこれを検知して所定の警告処理を実行するように構成される。
【０１１１】
このように、本発明に係るアダプタ装置１は、電球Ｌｘの装着方向を改変することも可能である。すなわち、この場合、ソケット部３は壁面Ｗと直交する（つまり、電球Ｌｘは床面と平行に配設される）ので、実施形態１に示す場合に比べてソケット部３への熱の伝導率が低下し、ソケット部３による放熱効果は低下するものの、その他の排熱効果（たとえば、ケース本体４の貫通穴４５による排熱や、発熱量の多い電装部品を上方に位置させることによる排熱の促進等）、反射板７や断熱材８によるケース本体４内の温度上昇の抑制効果等は上記実施形態１と同様である。
【０１１２】
なお、上述した実施形態は本発明の好適な実施態様を示すものであって、本発明はこれらに限定されることなくその範囲内で種々の設計変更が可能である。
【０１１３】
たとえば、上述した実施形態では、上記調光用アダプタ装置１に装着される電球Ｌｘとしてミニクリプトン電球を用いた場合を示したが、電力制御による調光が可能な電球であれば、白熱電球や電球型蛍光灯のような他の電球・蛍光灯を用いることも可能である。
【０１１４】
また、上述した実施形態では、電球Ｌｘとして電球用ソケットＳに装着されていた白熱電球Ｌよりも小型の電球を用いたが、電球と電球用ソケットとの間に調光用アダプタ装置１を介装した状態でグローブＧの装着が可能であれば、ソケット部３の受金径を通常の電球サイズとして、通常の電球を用いることも可能である。また、上述した実施形態では、上記口金部２としてＥ２６タイプと同様の構造を備えた口金を用いたが、このサイズについてもたとえばＥ１７とするなど適宜変更可能である。
【０１１５】
また、上述した実施形態では、上記口金部１３には交流電力が供給される場合を示したが、直流電力が供給される場合にも本発明は適用可能である。すなわち、その場合、上記電力制御部５２は直流電力を元に電球Ｌｘの調光を行う調光回路で構成される。
【０１１６】
また、上述した実施形態では、電装基板５に設けられるサーミスタＴｈ１，Ｔｈ２の検出値Ｔ１，Ｔ２は、ケース本体４の位置が適正にあるか否かの判断にのみ用いられる場合を示したが、これらの検出値Ｔ１，Ｔ２に基づいて、制御部５４がケース本体４内の異常昇温を検出し、所定の警告処理を行うように構成することも可能である。
【０１１７】
また、上記サーミスタＴｈ１，Ｔｈ２を２個以上配置し、これらに基づいてケース本体４内の温度分布や温度差、さらには温度の上昇パターンなどを制御部５４で監視し、定格電力を超える電球の装着や発熱量の大きな電球の装着などを監視するように構成することも可能である。
【０１１８】
また、上述した実施形態では、口金部２を回転可能にケース本体４に保持する回転機構に関して、凹凸歯部４４をケース本体４に、また、これと係合する係合爪２１ｃを回転体２１に設ける構成を示したが、凹凸歯部を回転体２１に設け、係合爪をケース本体４に設けるように構成することも可能である。
【０１１９】
なお、本発明の応用として、照明器具の台座Ｂ内に調光制御用の制御基板が内蔵されるような場合には、この台座Ｂに上述したような反射板や断熱材を配設したり、あるいは、台座Ｂの表面外周部を角落とし加工したりしておくことも可能である。
【図面の簡単な説明】
【０１２０】
【図１】本発明に係る調光用アダプタ装置を斜め前方から見た状態を示す斜視図である。
【図２】同調光用アダプタ装置を斜め後方から見た状態を示す斜視図である。
【図３】図３(a)は、同調光用アダプタ装置の正面図を示し、図３(b)は、同調光用アダプタ装置の背面図を示している。
【図４】図４(a)は、同調光用アダプタ装置の側面図を示し、図４(b)は、同調光用アダプタ装置の側面断面図を示している。
【図５】同調光用アダプタ装置の分解斜視図である。
【図６】同調光用アダプタ装置の分解斜視図である。
【図７】同調光用アダプタ装置の電気的な構成を示すブロック図である。
【図８】同調光用アダプタ装置が装着される照明器具、すなわち、調光機能を持たない通常の白熱電球を用いた照明器具の一例を示した説明図である。
【図９】同調光用アダプタ装置におけるケース本体のソケット取付部周辺の構造を示す部分拡大図である。
【図１０】同調光用アダプタ装置を照明器具に取り付けた状態を示す説明図である。
【図１１】同調光用アダプタ装置の電装基板への温度検出手段の取り付け位置を示す説明図であり、図１１(a)は同電装基板の正面図であり、図１１(b)は同電装基板の側面図である。
【図１２】同温度検出手段の検出値の変化を示す説明図であり、図１２(a)はケース本体が適正位置にあるときを示し、図１２(b)はケース本体が適正位置から９０°近くずれているときを示している。
【符号の説明】
【０１２１】
１          調光用アダプタ装置
２          口金部
２１        回転体
２１ｃ      係合爪
２２        口金本体
２３        絶縁軸体
２４        導体ピン
３          ソケット部
４          ケース本体
４１        ソケット取付部
４４        凹凸歯部
４５        貫通穴（開口部）
５          電装基板
５１        信号受信部
５２        電力制御部
５３        温度検出部
５４        制御部
５５        電源部
６          電装線
７          反射板
８          断熱材
Ｌ          白熱電球
Ｌｘ        ミニクリプトン電球
Ｔｈ１，Ｔｈ２  サーミスタ（温度検出手段）
【図１】
0004616730.tif 000002
【図２】
0004616730.tif 000003
【図３】
0004616730.tif 000004
【図４】
0004616730.tif 000005
【図５】
0004616730.tif 000006
【図６】
0004616730.tif 000007
【図７】
0004616730.tif 000008
【図８】
0004616730.tif 000009
【図９】
0004616730.tif 000010
【図１０】
0004616730.tif 000011
【図１１】
0004616730.tif 000012
【図１２】
0004616730.tif 000013